(57)【要約】【課題】  動画の記録時間が長い場合であっても、動画から抽出される静止画の大きさを小さくすることなく、動画から抽出された多くの静止画を１枚の用紙に配置可能な印刷装置を提供することを目的とする。【解決手段】  印刷対象とする動画を選択する選択手段と、前記選択手段により選択された動画から複数の静止画を抽出する抽出手段と、前記抽出手段により抽出された複数の静止画をロール紙に印刷するための印刷手段と、前記抽出手段により抽出された複数の静止画が印刷されたロール紙を切断する切断手段と、を有し、前記選択手段により選択された動画の記録時間に応じた長さで、前記切断手段によりロール紙が切断されることを特徴とする。【選択図】  図２
2015076640.tif 000002
【特許請求の範囲】
【請求項１】
印刷対象とする動画を選択する選択手段と、
前記選択手段により選択された動画から複数の静止画を抽出する抽出手段と、
前記抽出手段により抽出された複数の静止画をロール紙に印刷するための印刷手段と、
前記抽出手段により抽出された複数の静止画が印刷されたロール紙を切断する切断手段と、を有し、
前記選択手段により選択された動画の記録時間に応じた長さで、前記切断手段によりロール紙が切断されることを特徴とする印刷装置。
【請求項２】
ユーザの操作に応じて、前記抽出手段により静止画を抽出する時間間隔を設定する設定手段を有することを特徴とする請求項１に記載の印刷装置。
【請求項３】
前記抽出手段は、前記選択手段により選択された動画から所定の時間間隔で静止画を抽出し、
前記切断手段は、前記抽出手段により抽出された静止画の数に応じた長さで前記ロール紙を切断することを特徴とする請求項１または２に記載の印刷装置。
【請求項４】
前記抽出手段により抽出された複数の静止画を前記ロール紙の幅方向および長さ方向に配置して印刷するための印刷データを生成する生成手段を有し、
前記生成手段は、前記抽出手段により抽出された静止画の数に応じて、前記ロール紙の長さ方向に配置する静止画の数を決定することを特徴とする請求項３に記載の印刷装置。
【請求項５】
前記抽出手段により抽出された静止画の数が所定の数以上、または、前記抽出手段により抽出された静止画の数を印刷するためのロール紙の長さが所定の長さ以上になる場合には、前記抽出手段により静止画を抽出する時間間隔を変更する再設定手段を有することを特徴とする請求項３または４に記載の印刷装置。
【請求項６】
複数色のインクが順に配置されているインクシートを有し、
前記印刷手段は、前記複数色のインクの１組を用いることにより１分の画像の印刷が可能であり、
前記抽出手段により抽出された静止画の数を印刷するためのロール紙の長さが、所定枚数分に対応するロール紙の長さよりも大きくなる場合には、前記再設定手段により静止画を抽出する時間間隔を変更することを特徴とする請求項５に記載の印刷装置。
【請求項７】
複数の画像をロール紙に印刷するための印刷装置の制御方法であって、
印刷対象とする動画を選択する選択工程と、
前記選択工程で選択された動画から複数の静止画を抽出する抽出工程と、
前記抽出工程で抽出された複数の静止画をロール紙に印刷する印刷工程と、
前記印刷工程で前記複数の静止画が印刷されたロール紙を切断する切断工程と、を有し、
前記切断工程では、前記選択工程で選択された動画の記録時間に応じた長さで、ロール紙が切断されることを特徴とする印刷装置の制御方法。
【請求項８】
請求項１に記載の印刷装置の各手段をコンピュータに実行させるためのプログラム。
【請求項９】
請求項１に記載の印刷装置の各手段をコンピュータに実行させるためのプログラムを記憶するコンピュータが読み取り可能な記憶媒体。
【発明の詳細な説明】
【技術分野】
【０００１】
本発明は印刷装置に関し、特に、動画から複数の静止画を抽出して印刷する印刷装置に関する。
【背景技術】
【０００２】
従来動画から複数のコマを抽出し１枚の用紙に並べて印刷する場合、１枚の用紙に配置可能なコマ数に規定があり、規定された数を上限としてコマを動画から抽出して１枚の用紙に配置、印刷するものであった。
【０００３】
特許文献１では、記録用紙ごとに規定されたコマ数分を動画全体から等間隔で自動的に抽出して配置する方法が開示されている。
【先行技術文献】
【特許文献】
【０００４】
【特許文献１】特開２００６−２１１２８３号公報
【発明の概要】
【発明が解決しようとする課題】
【０００５】
しかしながら、従来技術では、１枚の用紙に印刷可能なコマの数が制限されるため、記録時間の長い動画を印刷する場合にはコマの間隔が長くなりシーンの連続性を損なう可能性があったり、印刷できないシーンができたりしてしまう。または、１枚の用紙に配置されるコマ数を多くすると、コマの大きさが小さくなり視認性が落ちたりしてしまう。
【０００６】
そこで、本発明は、動画の記録時間が長い場合であっても、動画から抽出される静止画の大きさを小さくすることなく、動画から抽出された多くの静止画を１枚の用紙に配置可能な印刷装置を提供することである。
【課題を解決するための手段】
【０００７】
上記目的を達成するために、本発明の印刷装置は、
印刷対象とする動画を選択する選択手段と、前記選択手段により選択された動画から複数の静止画を抽出する抽出手段と、前記抽出手段により抽出された複数の静止画をロール紙に印刷するための印刷手段と、前記抽出手段により抽出された複数の静止画が印刷されたロール紙を切断する切断手段と、を有し、前記選択手段により選択された動画の記録時間に応じた長さで、前記切断手段によりロール紙が切断されることを特徴とする。
【発明の効果】
【０００８】
本発明によれば、動画の記録時間が長い場合であっても、動画から抽出される静止画の大きさを小さくすることなく、動画から抽出された多くの静止画を１枚の用紙に配置可能な印刷装置を提供することができる。
【図面の簡単な説明】
【０００９】
【図１】動画印刷装置の構成を示すブロック図
【図２】動画印刷の出力例を示す図
【図３】印刷装置の処理の流れを示すフローチャート
【図４】静止画とその静止画に関連付けられた動画を印刷した時の出力例を示す図
【図５】静止画とその静止画に関連付けられた動画を印刷する時の処理の流れを示すフローチャート
【発明を実施するための形態】
【００１０】
以下に、本発明の好ましい実施の形態を、添付の図面に基づいて詳細に説明する。
【００１１】
（第１の実施形態）
以下、図１から図５を参照して、本発明の第１の実施形態による、動画印刷装置について説明する。
【００１２】
図１は本発明による動画印刷装置の構成を示すブロック図である。
動画印刷装置を構成する各モジュール１０１〜１１４はバス１１１により相互に接続されている。
【００１３】
１０５は、ＣＰＵで、動画印刷装置全体の制御を行う。ＣＰＵ１０５は、不図示のプログラムメモリからプログラムを読み出し、読み出したプログラムに基づいて各モジュールの制御や演算処理を行う。後述のフローチャートは読み出したプログラムに基づいてＣＰＵの制御により実行される。
【００１４】
ディジタルカメラなどで撮影された静止画や動画はリムーバブルメモリカードなどに記録されており、画像入力部１０４に装着される。
【００１５】
画像入力部１０４から入力された画像のサイズや記録時間などの画像情報は記憶部１０３に一時的に記憶される。
【００１６】
画像入力部１０４から入力された画像は表示部１０１に表示され、画像を確認することができる。
【００１７】
操作部１０２には画像送りボタン（非図示）があり画像送りボタンを押すことにより表示部１０１に表示される画像を切り替えることができる。
【００１８】
操作部１０２には画像選択ボタン（非図示）があり画像選択ボタンを押すことにより表示部１０１に表示中の画像を印刷対象として選択することができる。
【００１９】
選択した画像が静止画である場合には関連動画探索部１１２において選択した静止画に関連付けされた動画を画像入力部１０４に装着されたメモリカードから検索することができる。
【００２０】
選択した画像が動画である場合にはコマ抽出部１０７において動画から既定の間隔でコマを静止画として抽出できる。抽出したコマは記憶部１０３に一時的に記憶される。
【００２１】
コマ間隔再設定部１１３において動画から抽出するコマの間隔を再設定できる。詳細は後述するが、動画の記録時間や用紙の条件において動画から抽出するコマの間隔を既定のものから変更することが可能となる。
【００２２】
動画から抽出したコマの数によって用紙送り量決定部１０８において用紙送り量を決定する。
【００２３】
本発明では印刷用紙としてロール紙を使用する。ロール紙は用紙幅は固定であるが用紙送り量を変えることによって出来上がりのサイズを制御することができる。動画から抽出したコマは印刷するために用紙上に抽出した順に配置する必要がある。コマの大きさを一定とすると用紙幅方向には固定数しか配置できないが、用紙送り方向に配置する数は可変なので抽出したコマの数によって最適な用紙送り量を用紙送り量決定部１０８において算出する。
【００２４】
本発明では印刷方式として昇華型熱転写方式を用いている。昇華型熱転写方式ではイエロー、マゼンタ、シアンの３色のインクシートを用いて用紙上に重ねてインクを転写することにより印刷を行う。３色のインクシートをそれぞれ３巻のロールとして使用することも可能ではある。しかし、印刷装置が比較的大型になってしまうために１巻のインクロールにイエロー、マゼンタ、シアンの複数色のインクが基本印刷サイズ１枚分の長さで連続して順に配置されているものを使用する。つまり、イエロー、マゼンタ、シアンの１組で基本印刷サイズ１枚の印刷が可能となる。本実施形態の動画印刷装置では基本印刷サイズを複数用意しており、印刷用途により効率的なインクサイズをユーザにより選択交換可能としており、そのため装着されているインクロールがどのサイズであるかをインクサイズ判定部１１４にて判定可能としている。
【００２５】
用紙送り量決定部１０８において用紙送り量が決まると用紙サイズが定まる。算出された用紙サイズに動画から抽出したコマをコマ配置部１０９によって配置する。
【００２６】
コマ配置部１０９によって決定された配置情報に従って印刷データを作成し、記憶部１０３に一時的に記憶する。印刷データはイエロー、マゼンタ、シアンの各色でそれぞれ作成される。
【００２７】
記憶部１０３に一時的に記憶された各色の印刷データに従って印刷部１１０において印刷が実行される。
【００２８】
以上の動作におけるデータの流れの制御や各モジュールの動作タイミングの制御はＣＰＵ１０５によってコントロールされる。
【００２９】
図２は本発明による動画印刷の出力例である。
【００３０】
本実施形態では基本印刷サイズは１００ｍｍ×１５０ｍｍであり、ロール紙の用紙幅は１００ｍｍである。インク１枚分のサイズも１００ｍｍ×１５０ｍｍ、印刷される動画コマのサイズは１５ｍｍ×２０ｍｍである。そし、コマを抽出する時間間隔は１秒である。
【００３１】
図２（ａ）は記録時間３０秒の動画を印刷した時の出力例である。
２０１は出力用紙である。
２０２は動画から静止画として抽出されたコマの１つであり、動画から規定の時間間隔で抽出されたコマは２０２と同じ形状とサイズで２０１出力用紙上に縦横に配置され印刷される。
２０２のコマの内部に書かれた数字はコマ番号である。
２０３はロール紙の用紙幅である。本実施形態では出力用紙２０１の縦方向をロール紙の用紙幅とする。
【００３２】
記録時間３０秒の動画から１秒間隔でコマを抽出すると３０コマ抽出される。
【００３３】
この３０コマを時間順に横に並べていき、出力用紙の右端で改行して用紙横方向がなるべく短くなるように配置していく。
【００３４】
コマの印刷時の縦方向のサイズは１５ｍｍでありコマは出力用紙の縦方向すなわちロール紙の用紙幅２０３が１００ｍｍであるので縦方向には６コマ配置できるが印刷時のコマとコマの間隔をある４ｍｍ程度取ることにし、縦方向には５コマ配置する。
【００３５】
縦方向に５コマ配置すると抽出されたコマの総数が３０コマであるので横方向には６コマ配置することになる。横方向の隣接コマは時間の近いコマであるために印刷時のコマとコマの間隔を１ｍｍ程度とすれば横方向に必要な用紙サイズは１２５ｍであることになる。左右の用紙端に４ｍｍのマージンを設けると２０４紙送り量は１３３ｍｍになる。
【００３６】
２０５インク１枚分の大きさは１５０ｍｍなので２０４用紙送り量のほうが小さい。
【００３７】
したがってこの場合にはインクは１枚分必要で用紙送り量は１３３ｍｍとして動画コマを配置し印刷することになる。
【００３８】
図２（ｂ）は記録時間６０秒の動画を印刷した時の出力例である。
２１１は出力用紙である。
２１２は２０２と同様に動画から静止画として抽出されたコマの１つである。
２１２のコマの内部に書かれた数字はコマ番号である。
２１３は２０３と同様にロール紙の用紙幅である。
【００３９】
記録時間６０秒の動画から１秒間隔でコマを抽出すると６０コマ抽出される。
【００４０】
この６０コマを図２（ａ）の例と同様に時間順に横に並べていく。
【００４１】
出力用紙の縦方向すなわちロール紙の用紙幅方向には図２（ａ）の例と同様に５コマ配置される。
【００４２】
縦方向に５コマ配置すると抽出されたコマの総数が６０コマであるので横方向には１２コマ配置することになる。
【００４３】
コマの配置間隔と左右用紙端のマージンも図２（ａ）と同じくすると２１４用紙送り量は２５９ｍｍになる。
【００４４】
２１５インク１枚分の大きさは１５０ｍｍなので２１４用紙送り量のほうが大きいがインク２枚分の大きさは３００ｍｍなのでこの場合はインクは２枚分必要で用紙送り量は２５９ｍｍとして動画コマを配置し印刷することになる。
【００４５】
ただしインクは前述の通り１巻のインクロールにイエロー、マゼンタ、シアンのインクが基本印刷サイズ１枚分の長さで交互に連続している。そのため、でインク１枚分のサイズを超える場合にはインク一枚分のサイズ内でイエロー、マゼンタ、シアンの各色を印画し、その次に用紙をインク一枚分送ってから次のイエロー、マゼンタ、シアンの各色を印画する必要がある。
【００４６】
したがって図２（ｂ）の例では１〜７、１３〜１９、２５〜３１、３７〜４３、４９〜５５のコマの部分を先に印刷し、用紙とインクを１枚分送ってから残りの部分を印刷することになる。しかし、仕上がりを１枚の用紙とするためにこの一連の印刷の間では用紙の切断は行わない。
【００４７】
図３は本発明による印刷装置の処理の流れを示すフローチャートである。
【００４８】
Ｓ３０１で印刷対象とする動画を選択する。前述の通り表示部１０１に表示される画像を見ながら操作部１０２の画像送りボタンを操作し、所望の画像が表示されたら操作部１０２の画像選択ボタンを押すことによって動画を選択する。
【００４９】
Ｓ３０２において選択した動画の記録時間を取得する。動画の記録時間は動画ファイルのヘッダに記録されているものを取得する。
【００５０】
Ｓ３０３においてコマ間隔を設定する。通常は既定の値を適用する。本実施形態では１秒としている。本実施液体では、コマ間隔は規定の値を使用するが、操作部１０２により、ユーザが設定可能に構成してもよい。
【００５１】
Ｓ３０４において取得コマ数を計算する。Ｓ３０２において取得した動画の記録時間をＳ３０３において取得したコマ間隔で除算することにより得られる。
【００５２】
Ｓ３０５において用紙送り量を計算する。計算の詳細は前述したが取得するコマ数によって決定される。
【００５３】
Ｓ３０６においてＳ３０５で計算した用紙送り量がインク２枚分以下であるかどうかを判定する。インクのサイズは１１４インクサイズ判定部から取得できる。前出の説明においては例としてインクサイズを１００ｍｍ×１５０ｍｍとしていたが別のサイズのインクであっても同様の計算で用紙送り量は計算可能である。
【００５４】
用紙送り量がインク２枚分以下であると判定されたらＳ３０７において動画からコマを抽出する。コマ間隔はＳ３０２で取得したもの、総コマ数はＳ３０４で取得したものになる。
【００５５】
Ｓ３０８において抽出したコマが出力用紙上に印刷されるように配置し、出力用紙サイズにあわせたＹＵＶ形式の印刷データを生成する。印刷データの作成は、抽出したコマごとにいったんＹＵＶデータとして印刷サイズにまでリサイズし、記憶部１０３に確保した出力用紙サイズに合わせたＹＵＶデータ領域の該当する座標値に配置する。抽出したすべてのコマに対してＹＵＶデータでリサイズと配置が完了するまで繰り返す。このようにして、出力用紙サイズにあわせて抽出したコマが配置された印刷データが記憶部１０３に格納される。
【００５６】
次にＳ３０９において用紙送り量がインク１枚分に収まっているかを判定する。
【００５７】
用紙送り量がインク一枚分に収まっていり場合は、そのままＳ３１１に進む。
【００５８】
Ｓ３１１で印刷処理を実行する。印刷処理では、まず、記憶部１０３に記憶されているＹＵＶデータをイエロー、マゼンタ、シアンのデータに変換し、各色のデータを用いてイエロー、マゼンタ、シアンのインクを用紙上に重ねて熱転写する。
【００５９】
Ｓ３０９において用紙送り量がインク１枚分に収まっていないと判定されたら、Ｓ３１０において、記憶部１０３に記憶されているＹＵＶデータを分割する。ＹＵＶデータは、出力全体分を作成しているので、１枚分のインクサイズに相当する印刷データに切り分ける。分割したＹＵＶデータは前半部分と後半部分の２つに分け、Ｓ３１１においてＹＵＶデータをイエロー、マゼンタ、シアンのデータに変換し、印刷する。全ての印刷データに基づく印刷が完了すると、不図示の切断部により、１枚分のインクサイズに相当する用紙の長さではなく、Ｓ３０５で計算した用紙送り量にもとづいて、ロール紙を切断する。ここで、図２で説明したように、用紙送り量は、総コマ数により決定され、総コマ数は動画の記録時間に応じて決定されるため、ロール紙の切断される長さは、動画の記録時間に対応した長さとなる。
【００６０】
Ｓ３０６においてＳ３０５で計算した用紙送り量がインク２枚分を超えると判定されたらＳ３０４において、コマ間隔再設定部１１３によりコマ間隔を再設定する。ここでは１１４インクサイズ判定部より取得したインクサイズの２枚分のサイズを用紙送り量の最大値とし、その用紙送り量に収まる最大のコマ数を計算し、Ｓ３０２で取得した動画記録時間を先の最大のコマ数で除算することでコマ間隔を計算し、設定する。コマ間隔を再設定したらＳ３０４以降のシーケンスに戻り、前述の手順通りの処理を行う。本実施形態では、Ｓ３０５で計算した用紙送り量がインクサイズ２枚分の用紙送り量を超えるかによって、コマ間隔を再設定するかを判断した。しかし、これに限らず、例えば、インクサイズ２枚分に配置可能なコマ数を予め記憶しておき、動画から抽出されるコマの数が、予め記憶されている所定のコマ数を超えるか否かにより、再設定するかを決定してもよい。また、本実施形態では、インクサイズ２枚分を上限としたが、インクサイズ３枚分を上限としてもよいし、また、ユーザにより、何枚分までの印刷を許可するかの上限を設定可能にしてもよい。
【００６１】
（第２の実施形態）
第２の実施形態では、静止画とその静止画に関連付けられた動画から抽出したコマを印刷する。基本的な構成は第１の実施形態と同じであるため説明は省略する。
【００６２】
図４は静止画とその静止画に関連付けられた動画を印刷した時の出力例である。
【００６３】
図２での説明と同様に本実施形態では基本印刷サイズは１００ｍｍ×１５０ｍｍであり、ロール紙の用紙幅は１００ｍｍである。インク１枚分のサイズも１００ｍｍ×１５０ｍｍ、印刷される動画コマのサイズは１５ｍｍ×２０ｍｍである。そし、コマを抽出する時間間隔は１秒である。
【００６４】
静止画と動画の関連付けが行われる一例としては、動画を撮影中に静止画用のシャッターボタンを押すことで動画撮影中に静止画を撮影する機能のあるディジタルカメラで動画と静止画を同時に撮影した時などがある。動画で動きのあるシーンを撮影しつつ好みのシーンで静止画を撮影できる。
【００６５】
静止画のファイルヘッダには関連付けされた動画のファイル名が、動画のファイルヘッダには関連付けされた静止画のファイル名が相互に記録されている。
【００６６】
本実施形態では静止画を印刷対象とするとその静止画のヘッダから関連付けされた動画を検索し、関連付けされた動画が存在すれば１枚の出力用紙上に動画のコマと静止画を一緒に印刷する。
【００６７】
４０１は出力用紙である。
４０２は動画から静止画として抽出されたコマの１つであり、動画から既定の間隔で抽出されたコマは４０２と同じ形状とサイズで４０１出力用紙上に縦横に配置され印刷される。
４０２のコマの内部に書かれた数字はコマ番号である。
４０３はロール紙の用紙幅である。本実施形態では出力用紙４０１の縦方向をロール紙の用紙幅とする。
４０４は出力用紙上に配置される静止画である。本実施形態では縦と横のサイズの同じすなわちアスペクト比は１対１の静止画であるとする。
【００６８】
静止画の縦方向のサイズが用紙幅４０３に一致するように静止画をリサイズする。このとき静止画の上下に余白ができるようにマージンを取ってリサイズしてもよい。
【００６９】
静止画の縦方向のサイズが用紙幅４０３に合うように静止画をリサイズすると４０４の横方向の必要サイズが算出される。静止画のリサイズの際には縦方向と横方向のリサイズ率は同とし偏倍は行わないので静止画のアスペクト比によって４０４の横方向のサイズが計算されそれが４０５の静止画配置領域の大きさとなる。
【００７０】
本実施形態での静止画はアスペクト比１対１なので４０３用紙幅と４０５静止画配置領域は同じサイズとなり、１００ｍｍとなる。
【００７１】
次に検索された動画の記録時間と既定のコマ間隔から抽出されるコマ数を得る。
本実施形態では４５秒の動画から４５コマのコマが抽出されるとする。
この４５コマを時間順に横に並べていき、途中で改行して用紙横方向がなるべく短くなるように配置していく。
【００７２】
コマの印刷時の縦方向のサイズは１５ｍｍでありコマは出力用紙の縦方向すなわちロール紙の用紙幅４０３が１００ｍｍであるので縦方向には６コマ配置できるが印刷時のコマとコマの間隔をある４ｍｍ程度取ることにし、縦方向には５コマ配置する。
【００７３】
縦方向に５コマ配置すると抽出されたコマの総数が４５コマであるので横方向には９コマ配置することになる。横方向の隣接コマは時間の近いコマであるために印刷時のコマとコマの間隔を１ｍｍ程度とすれば横方向に必要な用紙サイズは１８８ｍｍであることになる。コマ列の左右に４ｍｍのマージンを設けると４０６動画コマ配置領域１９６ｍｍになる。
【００７４】
４０６動画コマ配置領域と４０５静止画配置領域を加算すると紙送り量４０７となり、本実施形態では２９６ｍｍとなる。
【００７５】
４０８インク１枚分の大きさは１５０ｍｍで４０７用紙送り量は２９７ｍｍなのでインク１枚分では足りずインク２枚分３００ｍｍには収まることになる。
【００７６】
したがってこの場合にはインクは２枚分必要で用紙送り量は２９６ｍｍとして動画コマを横９コマ縦５コマ配置し、静止画をその横に配置して印刷することになる。
【００７７】
インクは前述の通り１巻のインクロールにイエロー、マゼンタ、シアンのインクが基本印刷サイズ１枚分の長さで交互に連続している。そのため、インク１枚分のサイズを超える場合にはインク一枚分のサイズ内でイエロー、マゼンタ、シアンの各色を印画し、その次に用紙をインク一枚分送ってから次のイエロー、マゼンタ、シアンの各色を印画する必要がある。
【００７８】
したがって図４の例では１〜７、１０〜１６、１９〜２５、２８〜３４、３７〜４３のコマの部分を先に印刷し、用紙とインクを１枚分送ってから残りの部分を印刷することになるが仕上がりを１枚の用紙とするためにこの一連の印刷の間では用紙の切断は行わない。
【００７９】
図５は静止画とその静止画に関連付けられた動画を印刷する時の処理の流れを示すフローチャートである。
【００８０】
Ｓ５０１において印刷対象とする静止画を選択する。前述の通り表示部１０１に表示される画像を見ながら操作部１０２の画像送りボタンを操作し、所望の画像が表示されたら操作部１０２の画像選択ボタンを押すことによって静止画を選択する。
【００８１】
Ｓ５０２においてＳ５０１で選択した静止画に関連付けられた動画があるか検索を行う。
【００８２】
選択した静止画のヘッダに関連動画情報があり、その動画が１０４画像入力部に装着されたメモリカード内に実在すればＳ５０３において関連動画ありと判定する。
【００８３】
Ｓ５０３において関連動画なしと判定されたらＳ５１３において静止画を出力用紙上に１枚配置し、Ｓ５１２において静止画と抽出したコマとを印刷して処理を終了する。
【００８４】
Ｓ５０３において関連動画ありと判定されたらＳ５０４において検索された動画の記録時間を取得する。動画の記録時間は動画ファイルのヘッダに記録されているものを使用する。
【００８５】
Ｓ５０５においてコマ間隔を設定する。通常は既定の値を適用する。本実施形態では１秒としている。
【００８６】
Ｓ５０６において静止画幅を計算する。静止画の幅は静止画のアスペクト比とロール紙の用紙幅によって計算される。静止画のアスペクト比は静止画ファイルのヘッダに記録されている画像サイズから得られる。画像の縦方向のサイズがロール紙の用紙幅に一致するように静止画をリサイズし、静止画の横方向のサイズを得る。
【００８７】
Ｓ５０７において取得動画コマ数を計算する。取得動画コマ数はＳ５０４で取得した動画記録時間をＳ５０５で設定したコマ間隔で除算することで得られる。
【００８８】
Ｓ５０８において用紙送り量を計算する。関連動画の記録時間が４５秒で４５コマが抽出されると図４の例では動画のコマは横に９コマ縦に５コマ配置することになる。このとき、コマ間のマージンを含めて１９６ｍｍであり、同様に図４の例ではＳ５０６で計算した静止画幅は１００ｍｍであるため用紙送り量はその２つを加算して２９６ｍｍとなる。
【００８９】
Ｓ５０９において用紙送り量がインク２枚分を超えるかどうかを判定する。
【００９０】
用紙送り量がインク２枚分を超えるのならばＳ５１４においてコマ間隔を再設定する。
インク２枚分のサイズから静止画の横幅を減算し、残った動画配置領域に動画のコマが配置できるように総コマ数を算出し、動画記録時間を総コマ数で除算してコマ間隔を決定する。コマ間隔を再設定したらＳ５０７からの処理を継続する。
【００９１】
Ｓ５０９において用紙送り量がインク２枚分を超えないと判定されたらＳ５１０において動画からコマを既定のコマ間隔で抽出する。
【００９２】
Ｓ５１１において静止画と動画コマを配置する。
【００９３】
印刷は出力用紙サイズにあわせたＹＵＶデータを作成し、その後ＹＵＶデータからイエロー、マゼンタ、シアンの各データを作成するために、出力用紙サイズにあわせたＹＵＶデータ作成用の領域を記憶部１０３に確保する。
【００９４】
抽出したコマごとにいったんＹＵＶデータとして印刷サイズにまでリサイズし、記憶部１０３に確保した出力用紙サイズに合わせたＹＵＶデータ領域の該当する座標値に配置する。
【００９５】
抽出したすべてのコマに対してＹＵＶデータでリサイズと配置が完了するまで繰り返す。
【００９６】
静止画についても同様にＹＵＶデータとして印刷サイズにまでリサイズしＹＵＶデータ領域の該当する座標値に配置する。
【００９７】
用紙送り量がインク一枚分に収まっていればＳ５１２において印刷を行う。印刷は記憶部１０３に記憶されているＹＵＶデータをイエロー、マゼンタ、シアンのデータに変換し、各色データを用いてイエロー、マゼンタ、シアンのインクで用紙上に重ねて熱転写する。
【００９８】
用紙送り量がインク１枚分に収まっていない場合は印刷データを分割する。印刷データは出力用紙全体分を作成しているので単純に１枚目のインクサイズに相当する部分の印刷データとそれ以降の印刷データに切り分けるだけでよい。分割した印刷データは前半部分と後半部分の２つに分けてＳ５１２においてＹＵＶデータをイエロー、マゼンタ、シアンのデータに変換し、印刷する。
【００９９】
（その他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【０１００】
上述の実施形態では、印刷装置の一例として、コマ抽出部、印刷部、切断部等を含む動画印刷装置で説明するが、それぞれの部を有する複数の装置を組み合わせたシステムにより本発明を実現してもよい。
【０１０１】
また、上述の実施形態の機能を実現するソフトウェアのプログラムを、記憶媒体から直接、或いは有線／無線通信を用いてプログラムを実行可能なコンピュータを有するシステム又は装置に供給し、そのプログラムを実行する場合も本発明に含む。
【０１０２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１０３】
その場合、プログラムの機能を有していれば、オブジェクトコード、インタプリタにより実行されるプログラム、ＯＳに供給するスクリプトデータ等、プログラムの形態を問わない。
【図１】
2015076640.tif 000003
【図２】
2015076640.tif 000004
【図３】
2015076640.tif 000005
【図４】
2015076640.tif 000006
【図５】
2015076640.tif 000007